(57)【要約】      （修正有）【課題】携帯電話のセキュリティに対し、手に取付けたランダムな排他的ＩＣタグを利用する事により、特別な操作を介さず利用者本人がセキュリティを意識すること無く携帯電話のセキュリティを解決することで、利便性、簡易性、安全性、コスト軽減を向上させたセキュリティシステムを提供する。【解決手段】図１に示す通り、携帯電話１のセキュリティに対し、指輪３または、付け爪４にランダムな排他的コードまたは排他的機構を持つＩＣタグ２を取付ける、または、マニュキュアのような接着剤等で爪５にＩＣタグ２を取付け、ＩＣタグ２を取付けた手で携帯電話１を操作、開閉、または、接触する事で携帯電話に取付けられたＩＣタグコード読取装置によりＩＣタグ２のコードを読み取る事で、利用者本人がセキュリティを意識すること無く個人認証をおこない、携帯電話１のセキュリティを解決する。【選択図】図１
2006092256.tif 000002
【特許請求の範囲】
【請求項１】
ランダムな排他的コードまたは排他的機構を持つＩＣタグにより携帯電話のセキュリティを解決することを特徴とするＩＣタグ。
【請求項２】
ＩＣタグに複数のセレクティングコードを認識できる機能を持たせることで個々に排他的コードを持たせ複数の携帯電話のセキュリティに対応できることを特徴とする請求項１記載のＩＣタグ。
【請求項３】
請求項１、２、のランダムな排他的コードまたは排他的機構を持つＩＣタグにより、ＩＣタグを取付けた手で携帯電話を操作、開閉、または、携帯電話に接触する事によりＩＣタグのコードを読み取る事で利用者本人がセキュリティを意識すること無く個人の認証をおこない、携帯電話のセキュリティを解決することを特徴とする携帯電話。
【請求項４】
携帯電話一台に請求項１、２、のランダムな排他的コードまたは排他的機構を持つＩＣタグコードの複数登録を可能とし、登録、変更、削除、機能別アクセス権の管理ができるシステムとして複数人の利用、スペアＩＣタグとして利用、また、利用状況に応じた登録変更を可能とさせた事を特徴とする請求項３記載の携帯電話。
【発明の詳細な説明】
【技術分野】
【０００１】
本発明は、携帯電話のセキュリティの利便性、簡易性、安全性、コスト軽減の向上に関する。
【背景技術】
【０００２】
従来の携帯電話のセキュリティは、図４に示す通り、携帯電話のセキュリティの解決は、利用時のパスワード入力、または、指紋認証によるものである。
【０００３】
しかしながら、従来技術によれば、セキュリティを解除するにあたりセキュリティを意識しないことは無かった。ほとんどの場合、その操作性の煩わしさよりパスワードによるセキュリティを活用して携帯電話を利用する事がなされていない。その為、紛失時、盗難時には回線停止等の処置を取らなければならなかった。また、他人の使用が簡単に行われてしまう。また、携帯電話に登録された個人情報、保存されたメール文書などが漏洩する危険性がある。また、指紋認証システムでは、セキュリティ解除時に解除操作が必要となる。また、セキュリティを上げるため精度を上げると認証不良が発生し、精度を落とすとセキュリティも低下する。また、指紋認証システムは個人認証にしか利用できない。
【発明の開示】
【発明が解決しようとする課題】
【０００４】
本発明の目的は、携帯電話のセキュリティに対し、手に取付けたランダムな排他的ＩＣタグを利用する事により、特別な操作を介さず利用者本人がセキュリティを意識すること無く携帯電話のセキュリティを解決することで、利便性、簡易性、安全性、コスト軽減を向上させたセキュリティシステムを提供する事にある。
【課題を解決するための手段】
【０００５】
上記の目的を達成するために、携帯電話のセキュリティに対し、特許文献１、２等の技術を利用し、ランダムな排他的コードまたは排他的機構を持つＩＣタグを指輪、または、付け爪に取付ける、または、マニュキュアのような接着剤等で爪にＩＣタグを取付け、ＩＣタグを取付けた手で携帯電話を操作、開閉、または、携帯電話に接触する事で携帯電話に取付けられたＩＣタグコード読取装置によりＩＣタグのコードを読み取る事で、利用者本人がセキュリティを意識すること無く個人の認証をおこない携帯電話のセキュリティを解決するようにしたものである。
【０００６】
また、携帯電話一台に複数のＩＣタグコードの登録を可能とし、登録、変更、削除、機能別アクセス権の管理ができるシステムとして複数人の利用、スペアＩＣタグとして利用また、状況に応じた登録変更を可能としたものである。
【０００７】
排他的機構とは、単にアクセスに対し排他的コードを発信するのでなく、例えば、ＩＣタグコード読取装置からの任意または排他性のあるセレクティングコードに対してのみ排他的コードを発信する。もしくは、セレクティングコードに対し、正規の応答だけでなく、登録されて無い悪意のセレクティングコードに対しては、不正監視コード、例えば、数式で生成するある範囲のコードに、ある任意の桁が「０」となるようなコードを発信し応答する事で盗聴を防ぎ不正利用を防ぐ。また、盗難した悪意の不正監視コードを使用すると不正使用である事を突き止める事ができる。以上のような機構でアクセスに対するコードのセキュリティを上げるようにしたものである。
【０００８】
また、ＩＣタグに複数のセレクティングコードを認識できる機能を持たせることで個々に排他的コードを持たせ複数のセキュリティに対応できるようにしたものである。
【０００９】
（請求項１に記載した発明の構成）
請求項１に記載した発明は、携帯電話のセキュリティに対し、ＩＣタグに携帯電話のセキュリティを解決するためのランダムな排他的コードまたは排他的機構を持つＩＣタグを備えているところに特徴がある。
【００１０】
（請求項１に記載した発明の作用効果）
上記の構成を採用することにより、ＩＣタグを取付けた手で携帯電話を操作、開閉、または、携帯電話に接触する事で携帯電話に取付けられたＩＣタグコード読取装置によりＩＣタグのコードを読み取る事で、利用者本人がセキュリティを意識すること無く個人の認証をおこない、携帯電話のセキュリティを解決することでセキュリティ解除時に特別な解除操作が不必要となる。
【００１１】
（請求項２に記載した発明の構成）
請求項２に記載した発明は、ＩＣタグに複数のセレクティングコードを認識できる機能を持たせ個々に排他的コードを備えているところに特徴がある。
【００１２】
（請求項２に記載した発明の作用効果）
上記の構成を採用することにより、複数のセキュリティに対応できる。
【００１３】
（請求項３に記載した発明の構成）
請求項３に記載した発明は、請求項１、２のランダムな排他的コードまたは排他的機構を持つＩＣタグにより、ＩＣタグを取付けた手で携帯電話を操作、開閉、または、接触する事によりＩＣタグのコードを読み取る事で個人の認証をおこない、携帯電話のセキュリティを解決する携帯電話セキュリティシステムを備えているところに特徴がある。
【００１４】
（請求項３に記載した発明の作用効果）
上記の構成を採用することにより、ＩＣタグを取付けた手で携帯電話を操作、開閉、または、携帯電話に接触する事で携帯電話に取付けられたＩＣタグコード読取装置によりＩＣタグのコードを読み取る事で、利用者本人がセキュリティを意識すること無く個人の認証をおこない、携帯電話のセキュリティを解決することでセキュリティ解除時に特別な解除操作が不必要となる。
【００１５】
（請求項４に記載した発明の構成）
請求項４に記載した発明は、請求項３記載の携帯電話で、携帯電話一台に複数のランダムな排他的コードまたは排他的機構を持つＩＣタグコードの登録を可能とし、登録、変更、削除、機能別アクセス権の管理ができるシステムを備えているところに特徴がある。
【００１６】
（請求項４に記載した発明の作用効果）
上記の構成を採用することにより、複数人の利用、スペアＩＣタグとして利用また、状況に応じた登録変更が可能となる。ＩＣタグの紛失、盗難時には再度ＩＣタグを購入し旧ＩＣタグコードを削除し新規ＩＣタグコードを登録できる。ＩＣタグコードのセキュリティクラスにより個別に通話、登録された個人情報、保存されたメール文書などが保護される。
【特許文献１】特開２００２−７４３１３号公報
【特許文献２】特開２００３−６３０９号公報
【発明の効果】
【００１７】
本発明によれば、携帯電話のセキュリティに対し、特許文献１、２等の技術によりＩＣタグを取付ける、または、マニュキュアのような接着剤等で爪にＩＣタグを取付け、ＩＣタグを取付けた手で携帯電話を操作、開閉、または、接触する事で携帯電話に取付けられたＩＣタグコード読取装置によりＩＣタグのコードを読み取る事で、利用者本人がセキュリティを意識すること無く個人認証をおこない、携帯電話のセキュリティを解決する。
【００１８】
また、携帯電話一台に複数のＩＣタグコードの登録を可能とし、登録、変更、削除、機能別アクセス権の管理ができるシステムとして複数人の利用、スペアＩＣタグとして利用また、状況に応じた登録変更が可能となり、ＩＣタグコードのセキュリティクラスにより個別に通話、登録された個人情報、保存されたメール文書などが保護される。
【００１９】
ＩＣタグの紛失、盗難時には再度ＩＣタグを購入し旧ＩＣタグコードを削除し新規ＩＣタグコードを登録できる。携帯電話の紛失盗難時には、ＩＣタグコードのセキュリティにより利用不可能となり通話、登録された個人情報、保存されたメール文書などが保護される。
【００２０】
ＩＣタグのコード長により、現在のパスワード方法より高いセキュリティが得られる。
【００２１】
ＩＣタグを手に取付ける事でＩＣタグコード読取装置への接触、接近が容易にでき、ＩＣタグコード読取装置の読み取り電力を軽減できる。また、リング状の場合その効果は大きくなる。
【００２２】
指輪、身体の爪と言う部分への取付けと言う面で、取付けの簡易性と使用時の煩わしさを軽減できる。
【００２３】
排他的機構により、単にアクセスに対し排他的コードを発信するのでなく、例えば、ＩＣタグコード読取装置からの任意または排他性のあるセレクティングコードに対してのみ排他的コードを発信する。もしくは、セレクティングコードに対し、正規の応答だけでなく、登録されて無い悪意のセレクティングコードに対しては、不正監視コード、例えば、数式で生成するある範囲のコードに、ある任意の桁が「０」となるようなコードを発信し応答する事で盗聴を防ぎ不正利用を防ぐ。また、盗難した悪意の不正監視コードを使用すると不正使用である事を突き止める事ができる。このような機構でアクセスに対するコードのセキュリティを上げることができる。
【００２４】
従来、固定コード、ドア、車等で扱われていたセキュリティ、鍵等と違い、携帯電話へのＩＣタグコードの登録変更を可能とする事で、利便性と簡易性、コストを低減でき、例えば、ＩＣタグをコンビニ等で販売することも可能となる。
【００２５】
また、他の用途として、ドアの鍵、車の鍵、印鑑、パソコンのパスワード、他の家電製品等のセキュリティシステムとしての併用と応用がきく。
【００２６】
以上のような方法で、利便性、簡易性、安全性、コスト軽減を向上させる事が可能となる。
【発明を実施するための最良の形態】
【００２７】
この発明の一実施形態を、図１に示す。
携帯電話１のセキュリティに対し、指輪３または、付け爪４または、爪５にランダムな排他的コードまたは排他的機構を持つＩＣタグ２を取付け、ＩＣタグ２を取付けた手で携帯電話１を操作、開閉、または、接触する事で携帯電話１に取付けられたＩＣタグコード読取装置６によりＩＣタグ２のコードを読み取り、個人認証をおこない、携帯電話１のセキュリティを解決する。ＩＣタグ２に複数のセレクティングコードを認識できる機能を持たせ登録することで個々に排他的コードを持たせ複数の携帯電話のセキュリティに対応できる。また、携帯電話１には一台に複数のＩＣタグコードの登録を可能とし、登録、変更、削除、機能別アクセス権の管理ができるシステムとする。また、不正アクセス７に対しては、排他的機構により、数式で生成するある範囲のコードに、ある任意の桁が「０」となるような不正監視コード８を発信し応答する事で盗聴を防ぎ不正利用を防ぐ。また、盗難した不正監視コードを使用すると不正使用である事を突き止める事ができる。以上のような機構でアクセスに対するコードのセキュリティを上げ、利便性、簡易性、安全性、コスト軽減を向上させるようにしたものである。
【００２８】
「実施形態の効果」
この実施形態によれば、携帯電話１のセキュリティに対し、ＩＣタグ２を取付けた手で携帯電話１を操作、開閉、または、接触する事で利用者本人がセキュリティを意識することなく個人認証をおこない、携帯電話１のセキュリティを解決する。ＩＣタグ２を備えた指輪３または、付け爪４または、爪５で複数の携帯電話のセキュリティに対応できる。また、携帯電話１一台に複数セキュリティ登録ができアクセス権の管理ができるシステムとして複数人の利用、スペアＩＣタグとして利用また、状況に応じた登録変更が可能となる。ＩＣタグ２の紛失、盗難時には再度ＩＣタグ２を購入し旧ＩＣタグコードを削除し新規ＩＣタグコードを登録できる。携帯電話２の紛失盗難時には、ＩＣタグコードのセキュリティにより利用不可能となり通話、登録された個人情報、保存されたメール文書などが保護される。ＩＣタグ２のコード長により、現在のパスワード方法より高いセキュリティが得られる。ＩＣタグ２を手に取付ける事でＩＣタグコード読取装置６への接触、接近が容易にでき、ＩＣタグコード読取装置６の読み取り電力を軽減できる。また、リング状の場合その効果は大きくなる。指輪３と言う部分への取付けと言う面で、取付けの簡易性と使用時の煩わしさを軽減できる。携帯電話へのＩＣタグコードの登録変更を可能とする事で従来、固定コード、ドア、車等で扱われていたセキュリティ、鍵等と違い利便性と簡易性、コストを低減でき、例えば、ＩＣタグをコンビニ等での販売することも可能となる。また、他の用途として、ドアの鍵、車の鍵、印鑑、パソコンのパスワード、他の家電製品等のセキュリティシステムとしての併用と応用がきく。以上のような方法で、利便性、簡易性、安全性、コスト軽減を向上させた。
【００２９】
「他の実施形態」
図１の実施形態では、携帯電話のシステムとして利用されているが、他の用途として、ドアの鍵、車の鍵、印鑑、パソコンのパスワード、他の家電製品等のセキュリティシステムとしての併用と応用がきき利用する事ができる。印鑑については、例えば銀行口座の場合、個人ＩＤに口座番号、パスワードを登録し、個別ＩＤに口座番号に準じる銀行独自の排他性のあるコードを登録し、個人認証とセキュリティを確保する事で個人と銀行間双方での保護が可能となる。ＩＣタグとの手順をＢＳＣのようなプロトコルからコードを発信する事としても良い。図１の実施形態では、親指への取付けを記述しているが、利便性上、他の指で利用する事ができる。
【産業上の利用可能性】
【００３０】
近年、携帯電話の技術が進み、いろいろなサービスが提供されている。しかし、そのセキュリティに関するシステムが煩雑で操作性に問題があり、軽視されている。このセキュリティシステムは、セキュリティを意識下に置かないことにより、導入に際し、抵抗はないと考えられる。また、携帯電話の需要は多く、産業としても、ＩＣタグと言う安価な材料を高価な商品として提供できると考えている。ユビキタス時代のセキュリティとして色々な可能性があると考える。図１の実施形態では、携帯電話のシステムとして利用されているが、他の用途として、ドアの鍵、車の鍵、印鑑、パソコンのパスワード、他の家電製品等のセキュリティシステムとしての併用と応用がきき利用する事ができる。
【図面の簡単な説明】
【００３１】
【図１】この発明の一実施形態を、構成図に示したものである。
【図２】この発明の初期のメモリ状態をブロック図に示したものである。
【図３】この発明の登録時のメモリ状態をブロック図に示したものである。
【図４】この発明の認証時のメモリ状態をブロック図に示したものである。
【図５】従来技術を示す構成図である。
【符号の説明】
【００３２】
１携帯電話      ２ＩＣタグ
３指輪          ４付け爪
５爪            ６ＩＣタグコード読取装置
７不正アクセス  ８不正監視コード
９パスワード    ８指紋センサー
【図１】
2006092256.tif 000003
【図２】
2006092256.tif 000004
【図３】
2006092256.tif 000005
【図４】
2006092256.tif 000006
【図５】
2006092256.tif 000007